(57)【要約】【課題】施工性に優れ、かつ防水性に優れた屋根構造を提供する。【解決手段】第１折板１ａは、第２折板１ｂ側の端部に形成された第１重なり部１０を有している。第２折板１ｂは、第１折板１ａ側の端部に形成された第２重なり部２０を有している。第２重なり部２０が第１重なり部１０の上に重なり、第１重なり部１０と第２重なり部２０とで上方に突出した山部４０が形成されている。第１重なり部１０は、山部４０の頂部４４よりも第１折板１ａ側に位置する一方係合部１４と、頂部４４よりも第２折板１ｂ側に位置する他方係合部１５とを有している。第２重なり部２０は、一方係合部１４に係合された一方被係合部２４と、他方係合部１５に係合された他方被係合部２５とを有している。一方被係合部２４が一方係合部１４にかしめ固定されている。他方被係合部２５が他方係合部１５にかしめ固定されている。【選択図】図１
2018123516.tif 000002
【特許請求の範囲】
【請求項１】
第１折板と、
前記第１折板と並べて設置された第２折板とを備え、
前記第１折板は、
前記第２折板側の端部に形成され、上方に突出した第１重なり部を有し、
前記第２折板は、
前記第１折板側の端部に形成され、上方に突出した第２重なり部を有し、
前記第２重なり部が前記第１重なり部の上に重なり、前記第１重なり部と前記第２重なり部とで、上方から見て前記第１折板と前記第２折板とが並ぶ方向と直交する方向に延びた山部が形成されており、
前記第１重なり部は、
前記山部の頂部よりも前記第１折板側に位置する一方係合部と、
前記頂部よりも前記第２折板側に位置する他方係合部とを有し、
前記第２重なり部は、
前記一方係合部に係合された一方被係合部と、
前記他方係合部に係合された他方被係合部とを有し、
前記山部の長手方向における一部において、前記一方被係合部が前記一方係合部にかしめ固定され、且つ前記他方被係合部が前記他方係合部にかしめ固定されていることを特徴とする屋根構造。
【請求項２】
前記一方被係合部は、前記第２折板の前記第１折板側の縁部で構成されて下方に向かって突出し、
前記他方係合部は、前記第１折板の前記第２折板側の縁部で構成されて下方に向かって突出し、
前記一方係合部及び前記他方被係合部の各々が、前記山部の内側に向かって凹むように屈曲していることを特徴とする請求項１に記載の屋根構造。
【請求項３】
横架材と、
前記横架材に固定されたタイトフレームと、
前記第１重なり部及び前記第２重なり部を前記タイトフレームに固着する固着具を備え、
前記第１重なり部は、
前記タイトフレームの上に配置された第１天板部を有し、
前記第２重なり部は、
前記第１天板部の上に重なり、前記第１天板部とで前記山部の頂部を構成する第２天板部を有し、
前記固着具は、前記第２天板部及び前記第１天板部を貫通して前記タイトフレームにねじ込まれたドリルねじであり、
前記第１天板部の上面及び前記第２天板部の上面の各々に、ガイド凹部が形成されており、
前記固着具は、前記第１天板部の前記ガイド凹部と前記第２天板部の前記ガイド凹部とに挿通されていることを特徴とする請求項１又は請求項２に記載の屋根構造。
【請求項４】
横架材と、
前記横架材に固定されたタイトフレームと、
前記第１重なり部及び前記第２重なり部を前記タイトフレームに固着する固着具を備え、
前記第１重なり部は、
前記タイトフレームの上に配置された第１天板部を有し、
前記第２重なり部は、
前記第１天板部の上に重なり、前記第１天板部とで前記山部の頂部を構成する第２天板部を有し、
前記固着具は、
前記タイトフレームから上方に向かって突出し、前記第１天板部及び前記第２天板部を貫通した剣先ボルトと、
前記剣先ボルトにおいて前記第２天板部より上方に突出した部分に螺合されたナットとを有し、
前記第１天板部の下面と前記第２天板部の下面との各々にガイド凹部が形成されており、
前記剣先ボルトは、前記第１天板部のガイド凹部と前記第２天板部のガイド凹部とに挿通されていることを特徴とする請求項１又は請求項２に記載の屋根構造。
【発明の詳細な説明】
【技術分野】
【０００１】
本発明は屋根構造に関する。
【背景技術】
【０００２】
特許文献１には折板屋根を有する屋根構造が開示されている。この屋根構造では、母屋に取り付けられたタイトフレーム上に、折板の縁部同士が重なるように配置され、このように重ねられた両折板の縁部により構成される稜部が、タイトフレームにボルト固定されている。また、前記稜部において母屋と重ならない部分には、ワンサイドボルトが取り付けられており、このワンサイドボルトにより、稜部が挟持されている。
【先行技術文献】
【特許文献】
【０００３】
【特許文献１】特開２００７−１５４６５２号公報
【発明の概要】
【発明が解決しようとする課題】
【０００４】
ところで、前述したワンサイドボルトを稜部に取り付けるには、稜部に取付用ボルト穴をあける必要があり、手間を要する。また、雨水が取付用ボルト穴から建物内に侵入する可能性もあり、これを防ぐにはパッキン等で封止する必要があって、この点でも手間を要する。
【０００５】
本発明は前記事情に鑑みてなされたものであって、施工性に優れ、かつ防水性に優れた屋根構造を提供することを目的とする。
【課題を解決するための手段】
【０００６】
前記目的を達成するために本発明に係る一態様の屋根構造は、第１折板と、前記第１折板と並べて設置された第２折板とを備え、前記第１折板は、前記第２折板側の端部に形成され、上方に突出した第１重なり部を有し、前記第２折板は、前記第１折板側の端部に形成され、上方に突出した第２重なり部を有し、前記第２重なり部が前記第１重なり部の上に重なり、前記第１重なり部と前記第２重なり部とで、上方から見て前記第１折板と前記第２折板とが並ぶ方向と直交する方向に延びた山部が形成されており、前記第１重なり部は、前記山部の頂部よりも前記第１折板側に位置する一方係合部と、前記頂部よりも前記第２折板側に位置する他方係合部とを有し、前記第２重なり部は、前記一方係合部に係合された一方被係合部と、前記他方係合部に係合された他方被係合部とを有し、前記山部の長手方向における一部において、前記一方被係合部が前記一方係合部にかしめ固定され、且つ前記他方被係合部が前記他方係合部にかしめ固定されていることを特徴とする。
【発明の効果】
【０００７】
本発明に係る一態様の屋根構造は、施工性及び防水性を向上できる。
【図面の簡単な説明】
【０００８】
【図１】図１は、本発明に係る一実施形態の屋根構造を示した断面図である。
【図２】図２は、同上の屋根構造の分解断面図である。
【図３】図３は、同上の屋根構造に用いられる折板の断面図である。
【図４】図４は、同上の屋根構造の継山部の拡大断面図である。
【図５】図５は、図１のＡ−Ａ線断面図である。
【図６】図６は、同上の屋根構造における継山部がかしめ固定される様子を示した拡大断面図である。
【図７】図７は、同上の屋根構造における折板を剣先ボルトとナットとで固定する例を示した断面図である。
【発明を実施するための形態】
【０００９】
以下に示す実施形態は、屋根構造に関し、詳しくは、並べて設置された折板同士が接続された屋根構造に関する。
【００１０】
図１に示す本実施形態の屋根構造は、折板屋根を有する建物の屋根構造であって、複数の横架材５（構造材）と、複数のタイトフレーム６と、複数の折板１と、複数の固着具７とを具備している。この屋根構造では、複数の折板１によって折板屋根が構成されている。
【００１１】
（横架材）
本実施形態の複数の横架材５の各々は、梁である。複数の横架材５は、平面視において横架材５の長手方向と直交する方向に間隔を介して並んでいる。本実施形態の各横架材５はＨ型鋼であって、上フランジ５０と、下フランジ５１と、上フランジ５０及び下フランジ５１の幅方向の中間部同士を繋いだウェブ５２とを有している。
【００１２】
（タイトフレーム）
各横架材５にはタイトフレーム６が載置されている。各タイトフレーム６は、例えば、一つの金属製帯板材、又は横架材５の長手方向に並んだ複数の金属製帯板材で構成される。
【００１３】
図２に示すように、各タイトフレーム６は、複数の凸部６０と、複数の底部６１とを有している。複数の凸部６０は、横架材５の長手方向に並んでいる。
【００１４】
複数の凸部６０の各々は、横架材５の長手方向に離間して配置された一対の側片部６２，６３と、一対の側片部６２，６３の上端部同士を繋いだ上片部６４とを有している。一対の側片部６２，６３の各々は、一対の側片部６２，６３の間隔が、上片部６４から下方に離れるほど徐々に広がるように鉛直方向に対して傾斜している。上片部６４は、横架材５の上フランジ５０と平行な板状に形成されている。
【００１５】
凸部６０と底部６１とは、横架材５の長手方向に交互に並んでおり、複数の凸部６０は、複数の底部６１によって繋がっている。複数の底部６１の各々は、上フランジ５０と平行な板状に形成されている。隣り合う凸部６０は、側片部６２，６３の下端部同士が底部６１を介して繋がっている。
【００１６】
各底部６１は、横架材５の上フランジ５０の上に載置されている。各タイトフレーム６は、複数の底部６１を上フランジ５０に溶接する又はボルト止めすることにより、対応する横架材５に固定されている。
【００１７】
（折板）
複数のタイトフレーム６の上には、複数の折板１が設置されている。複数の折板１は、横架材５の長手方向に並んでいる。
【００１８】
複数の折板１の各々は、平面視において横架材５の長手方向と直交する方向に延びている。各折板１は、図１に示すように、少なくとも隣り合う２つの横架材５に跨るように配置されている。各折板１は、折板１の長手方向と直交する断面の形状が、折板１の長手方向に亘って一様である。
【００１９】
各折板１の幅方向は、横架材５の長手方向と平行である。各折板１は、図３に示すように、幅方向の両端部のうち、一方の端部に形成された第１重なり部１０と、他方の端部に形成された第２重なり部２０とを有している。
【００２０】
第１重なり部１０及び第２重なり部２０の各々は、幅方向の中間部が上方に突出するように屈曲しており、折板１の長手方向に延びている。図４に示すように、各折板１の第１重なり部１０の上には、隣接する折板１の第２重なり部２０が重なっている。すなわち、隣接する折板１のうち、一方の折板１を第１折板１ａとし、他方の折板１を第２折板１ｂとしたとき、第１折板１ａの第１重なり部１０の上には、第２折板１ｂの第２重なり部２０が重なっている。
【００２１】
（非継山部及び底板部）
図３に示すように、本実施形態の各折板１は、複数の山部３１と、複数の底板部４１〜４３とを有している。本実施形態の各折板１は、合計２つの山部３１を有している。複数の山部３１は、第１重なり部１０と第２重なり部２０との間に形成されている。以下、必要に応じて、複数の山部３１の各々を非継山部３１という。
【００２２】
複数の非継山部３１は、折板１の幅方向に並んでいる。複数の非継山部３１の各々は、折板１の長手方向に延びている。
【００２３】
各非継山部３１は、折板１の幅方向において離間して配置された一対の側板部３２，３３と、一対の側板部３２，３３の上端部同士を繋いだ天板部３４とを有している。一対の側板部３２，３３の各々は、一対の側板部３２，３３の間隔が、天板部３４から下方に離れるほど徐々に広がるように鉛直方向に対して傾斜している。
【００２４】
図２に示すように、天板部３４は、タイトフレーム６の上片部６４と平行である。天板部３４は、非継山部３１の長手方向に延びている。天板部３４の幅方向は、平面視で非継山部３１の長手方向と直交した方向と平行である。
【００２５】
各非継山部３１は、非継山部３１の長手方向における複数箇所の各々が、対応するタイトフレーム６の凸部６０に被さっている。各非継山部３１の天板部３４は、対応する凸部６０の上片部６４の上面に沿って配置されている。各非継山部３１の一対の側板部３２，３３の各々は、対応する凸部６０の側片部６２，６３の外面に沿って配置されている。
【００２６】
複数の底板部４１〜４３の各々は、タイトフレーム６の底部６１と平行な板状に形成されている。図３に示すように、本実施形態の各折板１は、複数の底板部４１〜４３として、第１底板部４１、第２底板部４２及び第３底板部４３を有している。
【００２７】
隣り合う非継山部３１は、一方の非継山部３１の側板部３２の下端部と、他方の非継山部３１の側板部３３の下端部とが、第１底板部４１を介して繋がっている。第１重なり部１０と、これと隣り合う非継山部３１における第１重なり部１０側の側板部３３の下端部とは、第２底板部４２を介して繋がっている。第２重なり部２０と、これと隣り合う非継山部３１における第２重なり部２０側の側板部３２の下端部とは、第３底板部４３を介して繋がっている。
【００２８】
（第１重なり部）
各折板１の幅方向の両端部にそれぞれ形成された第１重なり部１０及び第２重なり部２０は、上方に向かって突出している。すなわち、第１重なり部１０は、第２底板部４２における非継山部３１とは反対側の端部から上方に向かって突出し、第２重なり部２０は、第３底板部４３における非継山部３１とは反対側の端部から上方に向かって突出している。
【００２９】
第１重なり部１０は、折板１の幅方向において離間して配置された一対の側板部１１，１２と、一対の側板部１１，１２の上端部同士を繋いだ天板部１３とを有している。一対の側板部１１，１２は、一対の側板部１１，１２の間隔が、後述する一方係合部１４及び他方係合部１５を除く部分において、天板部１３から下方に離れるほど広がるように鉛直方向に対して傾斜している。
【００３０】
以下、必要に応じて第１重なり部１０の一対の側板部１１，１２のうち、折板１の幅方向外側に位置する側板部１２を第１外側板部１２といい、折板１の幅方向内側に位置する側板部１１を第１内側板部１１という。また、必要に応じて、第１重なり部１０の天板部１３を第１天板部１３という。
【００３１】
第１外側板部１２の上下寸法は、第１内側板部１１の上下寸法よりも短い。第１外側板部１２の下端は、第１内側板部１１の上下方向の中程と同じ高さに位置している。
【００３２】
各折板１の第１重なり部１０は、図４に示すように、折板１の長手方向における複数箇所の各々が、対応するタイトフレーム６の凸部６０に被さっている。
【００３３】
具体的に第１天板部１３は、対応する凸部６０の上片部６４の上面に沿って配置されている。また、第１重なり部１０の一対の側板部１１，１２の各々は、対応する凸部６０の側片部６２，６３の外面に沿って配置されている。
【００３４】
（第２重なり部）
図３に示すように、各折板１において第１重なり部１０とは反対側の端部に形成された第２重なり部２０は、折板１の幅方向において離間して配置された一対の側板部２１，２２と、一対の側板部２１，２２の上端部同士を繋いだ天板部２３とを有している。一対の側板部２１，２２は、一対の側板部２１，２２の間隔が、後述する一方被係合部２４と他方被係合部２５とを除く部分において、天板部２３から下方に離れるほど広がるように鉛直方向に対して傾斜している。
【００３５】
以下、必要に応じて、第２重なり部２０の一対の側板部２１，２２のうち、折板１の幅方向外側に位置する側板部２１を第２外側板部２１といい、折板１の幅方向内側に位置する側板部２２を第２内側板部２２という。また、必要に応じて、第２重なり部２０の天板部２３を第２天板部２３という。
【００３６】
第２外側板部２１の上下寸法は、第２内側板部２２の上下寸法よりも短い。第２外側板部２１の下端は、第２内側板部２２の上下方向の中程と同じ高さに位置している。
【００３７】
図４及び図５に示すように、各折板１の第１重なり部１０には、隣接する折板１の第２重なり部２０が被さっている。第２天板部２３は、第１天板部１３の上面に沿って配置されている。第２重なり部２０の一対の側板部２１，２２の各々は、第１重なり部１０の対応する側板部１１，１２の外面に沿って配置されている。
【００３８】
折板屋根には、第１重なり部１０と、この第１重なり部１０の上に重なった第２重なり部２０とで構成された山部４０が複数形成されている。以下、必要に応じて、これら複数の山部４０の各々を、継山部４０という。
【００３９】
継山部４０は平面視において横架材５の長手方向と直交する方向に延びている。継山部４０と非継山部３１とは、折板１の長手方向と直交する断面の形状及び大きさが略同じである。継山部４０の頂部４４は、第１天板部１３と、この上に重なった第２天板部２３とで構成されている。
【００４０】
（一方係合部及び他方係合部）
各折板１の第１重なり部１０は、一方係合部１４と、他方係合部１５とを有している。一方係合部１４は、第１内側板部１１に形成されており、継山部４０の頂部４４よりも同一折板１の第２重なり部２０側（第１折板１ａ側）に位置している。
【００４１】
一方係合部１４は、第１内側板部１１の上下方向における中間部に形成されている。一方係合部１４は、第１重なり部１０の長手方向の全長に亘って形成されている。一方係合部１４は、継山部４０の内側（折板１の幅方向外側）に向かって凹むように屈曲した断面Ｌ字状に形成されており、縦片部１４０と横片部１４１とで構成されている。
【００４２】
他方係合部１５は、第１外側板部１２に形成されており、継山部４０の頂部４４よりも、同一折板１の第２重なり部２０とは反対側（第２折板１ｂ側）に位置している。他方係合部１５は、第１重なり部１０の長手方向の全長に亘って形成されている。
【００４３】
本実施形態の他方係合部１５は、第１外側板部１２の下縁部（第１重なり部１０の第２重なり部２０とは反対側の縁部）で構成されて下方に向かって突出している。本実施形態の他方係合部１５は、継山部４０の内側（折板１の幅方向内側）に向かって凹むように断面Ｌ字状に屈曲しており、縦片部１５０と横片部１５１とで構成されている。
【００４４】
（一方被係合部及び他方被係合部）
各折板１の第２重なり部２０は、一方被係合部２４と、他方被係合部２５とを有している。一方被係合部２４は、第２外側板部２１に形成されており、継山部４０の頂部４４よりも同一折板１の第１重なり部１０とは反対側（第１折板１ａ側）に位置している。
【００４５】
一方被係合部２４は、第２外側板部２１の下縁部（第２重なり部２０において同一折板１の第１重なり部１０とは反対側の縁部）で構成されて下方に向かって突出している。本実施形態の一方被係合部２４は、継山部４０の内側（折板１の幅方向内側）に向かって凹むように断面Ｌ字状に屈曲しており、縦片部２４０と横片部２４１とで構成されている。一方被係合部２４は、第２重なり部２０の長手方向の全長に亘って形成されている。
【００４６】
一方被係合部２４は、一方係合部１４に沿って配置されており、一方係合部１４に対して係合している。
【００４７】
他方被係合部２５は、第２内側板部２２の上下方向における中間部に形成されている。他方被係合部２５は、継山部４０の内側（折板１の幅方向外側）に向かって凹むように断面Ｌ字状に屈曲しており、縦片部２５０と横片部２５１とで構成されている。他方被係合部２５は、第２重なり部２０の長手方向の全長に亘って形成されている。
【００４８】
他方被係合部２５は、他方係合部１５に沿って配置されており、他方係合部１５に対して係合している。
【００４９】
（固着具）
各折板１は、図１及び図２に示すように、複数の固着具７によって複数のタイトフレーム６に固着されている。本実施形態では、複数の固着具７により、折板屋根における各天板部１３，２３，３４が、複数のタイトフレーム６に固着されている。
【００５０】
複数の固着具７の各々は、図４に示すように、ねじの軸部７０の先端が尖り、かつ軸部７０の先端部に切刃が形成されたドリルねじで構成されている。
【００５１】
図２に示すように、複数の固着具７のうち、非継山部３１をタイトフレーム６に固着するための固着具７ａは、頭部７１が天板部３４の上方に位置し、軸部７０が天板部３４を貫通してタイトフレーム６の上片部６４にねじ込まれている。これにより、天板部３４はタイトフレーム６の上片部６４に固着されている。すなわち、天板部３４は上方から挿通された固着具７ａによって上片部６４に固着されており、天板部３４及び上片部６４において固着具７ａがねじ込まれた孔は、固着具７ａの先端部による切削によって形成されている。
【００５２】
複数の固着具７のうち、継山部４０をタイトフレーム６に固着するための固着具７ｂは、頭部７１が第２天板部２３の上方に位置し、軸部７０が、第１天板部１３と第２天板部２３とを上下方向に貫通してタイトフレーム６の上片部６４にねじ込まれている。これにより、第１天板部１３と第２天板部２３とは、タイトフレーム６の上片部６４に固着されている。すなわち、第１天板部１３及び第２天板部２３は、上方から挿通された固着具７ｂによって上片部６４に固着されており、第１天板部１３、第２天板部２３及び上片部６４の各々において固着具７ｂがねじ込まれた孔は、固着具７ｂの先端部による切削によって形成されている。
【００５３】
本実施形態の各固着具７は、図４に示すように、軸部７０の基端部にパッキン７２が取り付けられたパッキン付ドリルねじである。各固着具７のパッキン７２は、頭部７１と、天板部２３（又は３４）との間に配置されて上下方向に圧縮されている。頭部７１と天板部２３（又は３４）との間は、パッキン７２により封止されている。このため、天板部１３，２３（又は３４）において固着具７の軸部７０が挿通された部分からは、雨水が浸入し難くなっている。
【００５４】
図５に示すように、本実施形態の各折板１の第１天板部１３の上面及び第２天板部２３の上面の各々には、ガイド凹部２６が形成されている。各ガイド凹部２６は、固着具７ｂを天板部２３に上方から挿通させる際のガイドとなる。第１天板部１３のガイド凹部２６は、第１天板部１３において幅方向の中心に位置しており、第１天板部１３の長手方向の全長に亘って形成されている。第２天板部２３のガイド凹部２６は、第２天板部２３において幅方向の中心に位置しており、第２天板部２３の長手方向の全長に亘って形成されている。
【００５５】
本実施形態では、第１天板部１３の幅方向における中間部が、下方に突出するように屈曲しており、この屈曲部分の上面により、第１天板部１３の下方に凹んだガイド凹部２６が構成されている。また、第２天板部２３の幅方向における中間部が、下方に突出するように屈曲しており、この屈曲部分の上面により、第２天板部２３の下方に凹んだガイド凹部２６が構成されている。
【００５６】
また、本実施形態では、第２天板部２３のガイド凹部２６を構成する前記屈曲部分が、第１天板部１３のガイド凹部２６を構成する前記屈曲部分に嵌まり込み、これにより、第２天板部２３は第１天板部１３に対して位置決めされる。そして、第１天板部１３及び第２天板部２３をタイトフレーム６に固着する固着具７ｂの軸部７０は、第１天板部１３のガイド凹部２６と、第２天板部２３のガイド凹部２６とに挿通される。
【００５７】
作業者は、図４に示す固着具７ｂを用いて継山部４０（第１重なり部１０及び第２重なり部２０）をタイトフレーム６に固着する際に、固着具７ｂの軸部７０の先端を第２天板部２３のガイド凹部２６に合わせ、この後、固着具７ｂを第１天板部１３及び第２天板部２３に通して上片部６４にねじ込む。このため、作業者は、固着具７ｂを、第１天板部１３、第２天板部２３及び上片部６４の各々の幅方向の中心位置に容易にねじ込むことができる。また、このように継山部４０をタイトフレーム６に固着する際には、作業者は、固着具７ｂの軸部７０の先端部を第１天板部１３及び第２天板部２３の各々のガイド凹部２６に差し込んだ状態で、固着具７ｂを回転させることができる。このとき、第１天板部１３及び第２天板部２３の各々のガイド凹部２６の両側面により、固着具７ｂが第２天板部２３の幅方向において移動することが規制されるため、作業者は固着具７ｂを第１天板部１３、第２天板部２３及び上片部６４に容易にねじ込むことができる。
【００５８】
なお、本実施形態の各折板１にあっては、図３に示すように、複数の天板部３４の各々の上面にも、ガイド凹部２６と同様のガイド凹部３５が形成されている。
【００５９】
（かしめ固定）
図５に示すように、隣接する折板１のうちの一方の折板１である第１折板１ａの第１重なり部１０には、他方の折板１である第２折板１ｂの第２重なり部２０の長手方向の一部がかしめ固定されている。このかしめ固定は、第２重なり部２０の一方被係合部２４及び他方被係合部２５を、第１重なり部１０の一方係合部１４及び他方係合部１５にそれぞれ係合した状態でかしめることによって行われる。
【００６０】
本実施形態では、前述のかしめ固定が、第２重なり部２０において平面視で隣り合う横架材５の間に位置する部分であって、第２重なり部２０の長手方向に間隔を介した複数の箇所で行われている。例えば前述のかしめ固定は、第２重なり部２０において図１に示す一点鎖線で囲まれた範囲で行われる。
【００６１】
前述のかしめ固定は、例えば図６に示す締機８を用いて行われる。締機８は、対向する一対の爪８０，８１と、一対の爪８０，８１の間に配置された押さえ部８２とを備えている。
【００６２】
一対の爪８０，８１のうちの一方の爪８０は、他方の爪８１に対して、一対の爪８０，８１の先端部の間の距離が変更できるように相対的に回転可能に連結されている。押さえ部８２は、一対の爪８０，８１同士の連結部分から、一対の爪８０，８１の間に向かって突出している。
【００６３】
図６では、かしめ固定前の第１重なり部１０及び第２重なり部２０が実線で示されており、かしめ固定後の第１重なり部１０及び第２重なり部２０が二点鎖線で示されている。かしめ固定前の第２重なり部２０は、長手方向の全長に亘って、一方被係合部２４が一方係合部１４に係合しかつ他方被係合部２５が他方係合部１５に係合している。
【００６４】
第２重なり部２０は、例えば以下に示すように、締機８を用いて第１重なり部１０にかしめ固定される。作業者は、まず、図６に示すように、一対の爪８０，８１を、当該一対の爪８０，８１の間に一方被係合部２４と他方被係合部２５とが位置するように配置し、且つ、押さえ部８２を第1天板部１３の上に重ねた第２天板部２３の上面に沿って配置する。
【００６５】
次に作業者は、押さえ部８２により第２天板部２３を上方から押さえながら、一方の爪８０を他方の爪８１に対して相対的に回転して、一対の爪８０，８１の先端部同士を近づけ、一対の爪８０，８１の先端部で第２重なり部２０における一方被係合部２４と他方被係合部２５とを挟み込む。これにより、第２重なり部２０は、押さえ部８２によって第１天板部１３及び第２天板部２３の変形が抑制された状態で、一方被係合部２４と他方被係合部２５とが互いに近づくように変形し、一方被係合部２４が一方係合部１４にかしめ固定され、他方被係合部２５が他方係合部１５にかしめ固定される。
【００６６】
図５に示すように、第２重なり部２０が第１重なり部１０にかしめ固定された部分では、一方係合部１４、他方係合部１５、一方被係合部２４、他方被係合部２５の各々の縦片部１４０，１５０，２４０，２５０は、下端に近い部分ほど、継山部４０の内側に位置するように鉛直方向に対して傾斜している。このため、一方被係合部２４は一方係合部１４から上方に外れ難く、また、他方被係合部２５は他方係合部１５から上方に外れ難い。
【００６７】
（変形例）
次に変形例について説明する。以下の変形例の説明では、前記実施形態と共通する構成については同一の符号を付して説明を省略する。
【００６８】
本変形例では、図７に示すように、折板１をタイトフレーム６に固着するための固着具７が、剣先ボルト７３とナット７４とから構成されている。
【００６９】
剣先ボルト７３は、タイトフレーム６の上片部６４から上方に向かって突出し、第１天板部１３及び第２天板部２３を貫通する。ナット７４は、剣先ボルト７３において第２天板部２３から上方に突出した部分に螺合され、タイトフレーム６の上片部６４との間に第１天板部１３及び第２天板部２３を挟み込む。これにより、第１天板部１３及び第２天板部２３は、タイトフレーム６に固着される。なお、ナット７４と第２天板部２３との間には、ワッシャやパッキンが設けられてもよい。
【００７０】
また、上記のように固着具７が、剣先ボルト７３とナット７４とで構成される場合、第１天板部１３及び第２天板部２３には、ガイド凹部２６は形成されないが、第１天板部１３及び第２天板部２３の各々の下面には、剣先ボルト７３を挿通させるためのガイドとなるガイド凹部２７を形成することが好ましい。すなわち、この場合、剣先ボルト７３は、第１天板部１３及び第２天板部２３の各々のガイド凹部２７に挿通される。
【００７１】
図７に示すガイド凹部２７は、第１天板部１３（又は第２天板部２３）における幅方向の中心に位置しており、第１天板部１３（又は第２天板部２３）の長手方向の全長に亘って形成されている。また、第１天板部１３（又は第２天板部２３）の幅方向における中間部が、上方に突出するように屈曲しており、この屈曲部分の下面により上方に凹んだガイド凹部２７が構成されている。
【００７２】
このように第１天板部１３及び第２天板部２３の各々の下面にガイド凹部２７を形成することで、作業者は、剣先ボルト７３を各天板部１３，２３に下方から貫通させるときには、各天板部１３，２３の下面に形成されたガイド凹部２７をガイドとすることができる。このため、剣先ボルト７３を各天板部１３，２３に容易に貫通させることができる。
【００７３】
（補足）
なお、前記実施形態及び変形例では、一方被係合部２４及び他方被係合部２５が、第２重なり部２０の長手方向における２箇所において、一方係合部１４及び他方係合部１５にそれぞれかしめ固定されているが、第２重なり部２０の長手方向の３箇所以上又は１箇所のみにおいて、一方係合部１４及び他方係合部１５にそれぞれかしめ固定されてもよい。
【００７４】
また、例えば、一方被係合部２４及び他方被係合部２５は、一方被係合部２４及び他方被係合部２５、並びに一方係合部１４及び他方係合部１５の各々の凹みの深さや当該凹みの隅部の角度等を調整することにより、一方係合部１４及び他方係合部１５にそれぞれ強固に固定することが可能である。このため、一方被係合部２４及び他方被係合部２５は、一方係合部１４及び他方係合部１５にかしめ固定されていなくてもよい。すなわち、一方被係合部２４及び他方被係合部２５は、少なくとも一方係合部１４及び他方係合部１５に対して係合されていればよい。
【００７５】
また、前記実施形態のガイド凹部２６及びガイド凹部３５のうちの一方又は両方は省略可能である。また、前記変形例におけるガイド凹部２７及びガイド凹部３５のうちの一方又は両方は省略可能である。
【００７６】
また、折板１には非継山部３１が形成されなくてもよい。
【００７７】
また、本実施形態の各折板１には、第１重なり部１０と第２重なり部２０との間に２つの山部３１が形成されているが、この山部３１の数が限定されず、１又は３以上設けられてもよい。また、第１重なり部１０と第２重なり部２０との間には、山部３１が設けられなくてもよい。
【００７８】
また、本実施形態の横架材５は、Ｈ型鋼から形成されているが、例えばＩ型鋼やＣ型鋼、リップ付き溝形鋼等であってもよい。また、各横架材５は、母屋等の他の横架材５であってもよい。
【００７９】
また、この他、前記実施形態の屋根構造及び折板１は、適宜設計変更可能である。
【００８０】
（効果）
前記実施形態及び変形例の屋根構造は、以下に示す特徴を有している。屋根構造は、第１折板１ａと、第１折板１ａと並べて設置された第２折板１ｂとを備えている。第１折板１ａは、第２折板１ｂ側の端部に形成され、上方に突出した第１重なり部１０を有している。第２折板１ｂは、第１折板１ａ側の端部に形成され、上方に突出した第２重なり部２０を有している。第２重なり部２０が第１重なり部１０の上に重なり、第１重なり部１０と第２重なり部２０とで、上方から見て第１折板１ａと第２折板１ｂとが並ぶ方向と直交する方向に延びた山部（継山部）４０が形成されている。第１重なり部１０は、山部４０の頂部４４よりも第１折板１ａ側に位置する一方係合部１４と、頂部４４よりも第２折板１ｂ側に位置する他方係合部１５とを有している。第２重なり部２０は、一方係合部１４に係合可能な一方被係合部２４と、他方係合部１５に係合可能な他方被係合部２５とを有している。山部４０の長手方向における一部において、一方被係合部２４が一方係合部１４にかしめ固定され、且つ他方被係合部２５が他方係合部１５にかしめ固定されている。以下、この特徴を有する屋根構造を、第１の態様の屋根構造という。
【００８１】
第１の態様の屋根構造にあっては、第１折板１ａの第１重なり部１０と、第２折板１ｂの第２重なり部２０とを、かしめ固定によって接続できる。このため、第１折板１ａと第２折板１ｂとの接続に用いられるボルト（例えば従来のワンサイドボルト）の数と、このボルトを通すために第１折板１ａと第２折板１ｂとに形成される孔の数とを減らすことができる。従って、折板１の施工性及び防水性が向上する。
【００８２】
また、前記実施形態及び変形例の屋根構造は、第１の態様の屋根構造において、以下に示す付加的な特徴を有している。一方被係合部２４は、第２折板１ｂの第１折板１ａ側の縁部で構成されて下方に向かって突出している。他方係合部１５は、第１折板１ａの第２折板１ｂ側の縁部で構成されて下方に向かって突出している。一方係合部１４及び他方被係合部２５の各々が、山部の内側に向かって凹むように屈曲している。以下、この屋根構造を第２の態様の屋根構造という。
【００８３】
第２の態様の屋根構造にあっては、一方被係合部２４、他方被係合部２５、一方係合部１４及び他方係合部１５の各々を簡易形状にして容易に形成できる。
【００８４】
また、前記実施形態の屋根構造は、第１又は第２の態様の屋根構造において、以下に示す付加的な特徴を有している。屋根構造は、横架材５と、横架材５に固定されたタイトフレーム６と、第１重なり部１０及び第２重なり部２０をタイトフレーム６に固着する固着具７とを備えている。第１重なり部１０は、タイトフレーム６の上に配置された第１天板部１３を有している。第２重なり部２０は、第１天板部１３の上に重なり、第１天板部１３とで山部４０の頂部４４を構成する第２天板部２３を有している。固着具７は、第２天板部２３及び第１天板部１３を貫通してタイトフレーム６にねじ込まれたドリルねじである。第１天板部１３の上面及び第２天板部２３の上面の各々にガイド凹部２６が形成されている。固着具７は、第１天板部１３のガイド凹部２６と第２天板部２３のガイド凹部２６とに挿通されている。以下、この屋根構造を、第３の態様の屋根構造という。
【００８５】
第３の態様の屋根構造にあっては、作業者は、固着具７（ドリルねじ）を、第２天板部２３及び第１天板部１３に貫通させてタイトフレーム６にねじ込むことで、第１天板部１３及び第２天板部２３を上方からタイトフレーム６に固着できる。また、この場合、作業者は、固着具７を第２天板部２３のガイド凹部２６に通すことで、固着具７を、第１天板部１３、第２天板部２３及びタイトフレーム６の各々の幅方向における所定位置にねじこむことができる。また、作業者は、固着具７の先端部を第１天板部１３のガイド凹部２６及び第２天板部２３のガイド凹部２６の各々に差し込んだ状態で、固着具７を回転させることができる。このとき、各ガイド凹部２６の両側面により、固着具７が第２天板部２３の幅方向において移動することが規制される。従って、作業者は、第１天板部１３及び第２天板部２３をタイトフレーム６に対して容易且つ適切に固定できる。
【００８６】
また、前記変形例の屋根構造は、第１又は第２の態様の屋根構造において、以下に示す付加的な特徴を有している。屋根構造は、横架材５と、横架材５に固定されたタイトフレーム６と、第１重なり部１０及び第２重なり部２０をタイトフレーム６に固着する固着具７とを備えている。第１重なり部１０は、タイトフレーム６の上に配置された第１天板部１３を有している。第２重なり部２０は、第１天板部１３の上に重なり、第１天板部１３とで山部４０の頂部４４を構成する第２天板部２３を有している。固着具７は、タイトフレーム６から上方に向かって突出し、第１天板部１３及び第２天板部２３を貫通した剣先ボルト７３と、剣先ボルト７３において第２天板部２３より上方に突出した部分に螺合されたナット７４とを有している。第１天板部１３の下面と第２天板部２３の下面との各々にガイド凹部２７が形成されている。剣先ボルト７３は、第１天板部１３のガイド凹部２７と第２天板部２３のガイド凹部２７とに挿通されている。以下、この屋根構造を、第４の態様の屋根構造という。
【００８７】
第４の態様の屋根構造にあっては、作業者は、剣先ボルト７３を、第１天板部１３及び第２天板部２３に貫通させ、この剣先ボルト７３における第２天板部２３よりも上方に突出した部分にナット７４を螺合することで、第１天板部１３及び第２天板部２３をタイトフレーム６に固着できる。この場合、作業者は、剣先ボルト７３を第１天板部１３及び第２天板部２３の各々のガイド凹部２７に通すことで、剣先ボルト７３を、第１天板部１３及び第２天板部２３の各々の幅方向における所定位置に通すことができる。また、作業者が、剣先ボルト７３を第１天板部１３及び第２天板部２３に各々に貫通させるとき、剣先ボルト７３は、第１天板部１３及び第２天板部２３の各々のガイド凹部２７の両側面により、第１天板部１３及び第２天板部２３の各々の幅方向に移動することが規制される。従って、作業者は、第１天板部１３及び第２天板部２３をタイトフレーム６に対して容易且つ適切に固定できる。
【符号の説明】
【００８８】
１  折板
１ａ  第１折板
１ｂ  第２折板
１０  第１重なり部
１３  第１天板部
１４  一方係合部
１５  他方係合部
２０  第２重なり部
２３  第２天板部
２４  一方被係合部
２５  他方被係合部
２６  ガイド凹部
２７  ガイド凹部
４０  山部（継山部）
４４  頂部
５  横架材
６  タイトフレーム
７  固着具（ドリルねじ）
７３  剣先ボルト
７４  ナット
【図１】
2018123516.tif 000003
【図２】
2018123516.tif 000004
【図３】
2018123516.tif 000005
【図４】
2018123516.tif 000006
【図５】
2018123516.tif 000007
【図６】
2018123516.tif 000008
【図７】
2018123516.tif 000009